(57)【特許請求の範囲】
【請求項１】
送風ファン、ファンガード、モータから構成されたファンモータ部を安定良く支持する扇風機スタンドからなる扇風機であって、前記扇風機スタンドを、前記ファンモータ部を支持する支柱と、この支柱を支えるベースとで構成し、前記ベースの外周部を係脱可能なスタビライザー部として分割して構成し、そのスタビライザー部を外した前記ベースの前後方向寸法は、前記ファンモータ部の前記ファンガードの前部から前記モータの後部までの寸法に収まるように構成し、前記スタビライザー部を外した状態の組付け形態で自立できるようにし、前記ベースから分離した前記スタビライザー部を前記ファンガードの背面と前記支柱との間に立てて保持させるようにした扇風機。
【請求項２】
請求項１に記載の扇風機であって、前記ベースから分離した前記スタビライザー部を前記支柱に保持させるようにした扇風機。
【請求項３】
請求項１に記載の扇風機であって、前記ベースから分離した前記スタビライザー部の下部を前記ベース上面に保持させるようにした扇風機。
【請求項４】
請求項１に記載の扇風機であって、前記ベースから分離した前記スタビライザー部を前記ファンガードに保持させるようにした扇風機。
【請求項５】
請求項１〜請求項４までのいずれかに記載の扇風機であって、電源コードの収納部を前記ベースの側面に設けた扇風機。
【発明の詳細な説明】
【技術分野】
【０００１】
本発明は、スタンド式の扇風機に関するものである。
【背景技術】
【０００２】
送風ファン、ファンガード、モータから構成されたファンモータ部を安定良く支持する扇風機スタンドからなるスタンド式の扇風機は、収納に嵩張るため、ファンモータ部が送風ファン、ファンガード、モータに分解でき、扇風機スタンドがベースと支柱に分解できるようになっている。そして、分解した扇風機を収納箱に収めて収納保管している（特許文献１参照）。
【０００３】
【特許文献１】特開平８−６８３９０号公報
【発明の開示】
【発明が解決しようとする課題】
【０００４】
従来のスタンド式の扇風機は、組立てたままでは嵩張り、場所をとるため、分解して収納箱に収めて収納保管しているが、分解には大変手間が掛かる。また、収納箱も長年の使用で破損しその用を成さなくなってしまうことがある。収納保管した扇風機を使用する時には、再び面倒な組立作業が必要で、煩わしさから免れられない。
【０００５】
本発明は、上記した課題を解決するためになされたものであり、その目的とするところは、狭隘な空間にも面倒な分解作業を要せずに、収納箱に収めることなく収納保管できる、手間の掛からないスタンド式の扇風機を得ることである。
【課題を解決するための手段】
【０００６】
上記課題を解決するために本発明は、送風ファン、ファンガード、モータから構成されたファンモータ部を安定良く支持する扇風機スタンドからなるスタンド式の扇風機について、その扇風機スタンドを、ファンモータ部を支持する支柱と、支柱を支えるベースとで構成し、ベースの嵩張る外周部を係脱可能なスタビライザー部として分割して構成し、スタビライザー部を外したベースの前後方向寸法は、ファンモータ部のファンガードの前部からモータの後部までの寸法に収まるように構成し、スタビライザー部を外した状態の組付け形態で自立できるようにする手段を採用する。
【発明の効果】
【０００７】
本発明によれば、使用に当っては、扇風機を安定に支持する機能を果たす扇風機スタンドのベースにおける嵩張る部分を、スタビライザー部として分割したため、収納保管に際してはスタビライザー部を外した嵩張らない自立できる状態で収納保管できる。即ち、狭隘な空間にも面倒な分解作業を要せずに、収納箱に収めることなく収納保管できる、手間の掛からないスタンド式の扇風機が得られる。
【発明を実施するための最良の形態】
【０００８】
本発明の扇風機は、送風ファン、ファンガード、モータから構成されたファンモータ部を安定良く支持する扇風機スタンドから構成されているスタンド式である。扇風機スタンドは、ファンモータ部を支持する支柱と、支柱を支えるベースとで構成されている。そして、ベースの嵩張る外周部が係脱可能なスタビライザー部として分割構成されている。スタビライザー部を外したベースの前後方向寸法は、ファンモータ部のファンガードの前部からモータの後部までの寸法に収まるように構成され、スタビライザー部を外した状態の組付け形態で自立できるようになっている。使用に当っては、扇風機を安定に支持する機能を果たす扇風機スタンドのベースにおける嵩張る外周部分を、スタビライザー部として分割して取外すことができるようにしたため、収納保管に際してはスタビライザー部を外した嵩張らない自立できる状態で収納箱等に収納することなく、保護フィルム等で包んで収納保管できる。
【０００９】
実施の形態１．
図１〜図７によって示す本実施の形態はスタンド式の扇風機に関するものである。図１は、収納形態の扇風機の側面図、図２は、収納形態の扇風機の底面視の斜視図、図３は、スタビライザー部の背面側斜視図、図４は、他の形態のスタビライザー部の背面側斜視図、図５は、収納形態の扇風機の背面側斜視図、図６は、他の形態のスタビライザー部の背面側斜視図、図７は、扇風機スタンドの一部の拡大斜視図である。
【００１０】
本実施の形態は、送風ファン１、ファンガード２、モータ３から構成されたファンモータ部４を、安定良く支持する扇風機スタンド５から構成されているスタンド式の扇風機に関するものである。扇風機スタンド５は、ファンモータ部４を支持する支柱６と、支柱６を支えるベース７とで構成されている。ベース７の嵩張る外周部は、係脱可能なスタビライザー部８として図１に示すように分割構成されている。スタビライザー部８は、図３に示すように鋼板からなる底板９に樹脂の意匠面を形成した構成で、意匠面に形成された角形の凹部１０に嵌め装着され扇風機スタンド５のベース７が構成される。なお、スタビライザー部８の側部には電源コード（図示しない）を外に導き出すガイド部が設けられている。
【００１１】
スタビライザー部８の形状は、図示のものでは円形であるが、角形でも楕円形等でもよい。スタビライザー部８を外したベース７の前後方向寸法は、ファンモータ部４のファンガード２の前部からモータ３の後部までの寸法に収まるように構成され（図１参照）、スタビライザー部８を外した状態の組付け形態で扇風機は自立できるようになっている。上述した寸法を得るためには、図２に示すように電源コードの収納部１１は、スタビライザー部８を外したベース７の側面に設けられている。普通は後方に設けられるが、収納部１１を後方に設ければ、ベース７の前後方向寸法は大きくならざるを得ない。
【００１２】
使用に当っては、扇風機を十分に安定に支持する機能を果たす扇風機スタンド５のベース７における嵩張る外周部分を、スタビライザー部８として分割して取外すことができるようにしたため、収納保管に際してはスタビライザー部８を外した嵩張らない自立できる状態で収納箱等に収納することなく、保護フィルム等（図示しない）で包んで収納保管できる。
【００１３】
外したスタビライザー部８は、図４，５のようにファンガード２の背面と支柱６の間に立ててその支柱６に対してスタビライザー部８に設けた倒伏可能な保持手段１２で保持させるようにするか、図６のように、スタビライザー部８に設けた倒伏可能な保持手段１２でベース７から分離したスタビライザー部８をファンガード２の背面と支柱６の間に立てて、保持手段１２でファンガード２に掛け保持させるようにするか、図７のようにベース７の支柱６側上面に設けた凹部10にスタビライザー部８の下部を嵌めて保持させるかする。この構成を採ることにより、分離させたスタビライザー部８も一纏めに寸法の拡大を伴わずに収納することができる。収納保管した扇風機は、使用に際しスタビライザー部８を組付けるだけで使用可能態になり、手間が掛からない。
【図面の簡単な説明】
【００１４】
【図１】収納形態の扇風機の側面図である。（実施の形態１）
【図２】収納形態の扇風機の底面視の斜視図である。（実施の形態１）
【図３】スタビライザー部の背面側斜視図である。（実施の形態１）
【図４】他の形態のスタビライザー部の背面側斜視図である。（実施の形態１）
【図５】収納形態の扇風機の背面側斜視図である。（実施の形態１）
【図６】他の形態のスタビライザー部の背面側斜視図である。（実施の形態１）
【図７】扇風機スタンドの一部の拡大斜視図である。（実施の形態１）
【符号の説明】
【００１５】
１  送風ファン、  ２  ファンガード、  ３  モータ、  ４  ファンモータ部、  ５  扇風機スタンド、  ６  支柱、  ７  ベース、  ８  スタビライザー部、  １１  収納部、  １２  保持手段。
【図１】
0004790443.tif 000002
【図２】
0004790443.tif 000003
【図３】
0004790443.tif 000004
【図４】
0004790443.tif 000005
【図５】
0004790443.tif 000006
【図６】
0004790443.tif 000007
【図７】
0004790443.tif 000008